(57)【要約】【課題】垢などが浮遊する浴槽の水面付近の水を濾過する風呂垢取り器の吸い込みの際にかかる抵抗と、フィルターによる抵抗と排出側の抵抗を軽減し、吸い込み速度を高め、濾過能力の高い小電力で働く小型軽量の浮遊式の風呂垢取り器を提供する。【解決手段】円筒状の吸水排水本体３に挿入取り出し自在に装着したモーター４と回転する回転羽根５で吸水口１の水面、及び水面近くを掻き上げ水面より高い位置にある排水口２から隣接の濾過室７に流し込み、濾過室７の内部に収容された水面上にある薄い布状のフィルター８で水面上で濾過し、吸水口１より大きい濾過室７の側面、及び底面の放出口１１から濾過した水を浴槽に戻す。【選択図】図１
2008086730.tif 000002
【特許請求の範囲】
【請求項１】
横に配置された円筒状の筐体の一方の開口部を吸水口とし吸水口の下部を喫水線とし水面より高い斜め上部位置の円筒の側面に開口された排水口を持つ吸水排水本体と
吸水排水本体に取り出し自在に挿入、装着したモーターとモーターに直結された湾曲をした板状の羽根を持つ回転羽根と
モーターを駆動する電源と
吸水排水本体に隣接し吸水排水本体の排水口を水の取り入れ口とし天井が吸水排水本体の排水口の上部縁に接し吸水口の開口面積より大きくとった浴槽への放出口を側面と底面に持つ濾過室と
濾過室が浮上し回転羽根の下部が水中に位置するように支える浮体と
取り出し自在に濾過室に収容されたフィルターと、で水面上で濾過をする構成とした風呂垢取り器
【請求項２】
前記フィルターは細かい目をした薄い化繊の布状のものをフィルターとして幾重かに折り曲げ水面上に位置するように濾過室に取り出し自在に収容されている請求項１記載の風呂垢取り器
【請求項３】
前記濾過室は天井に垂直に垂れ下がって斜め方向を向く分流板を備え水の取り入れ口の下部縁に濾過室に張り出された水流制御板を設けている請求項１又は２に記載の風呂垢取り器
【請求項４】
前記吸水口は円筒状の筐体の一方の開口面を導水口を設けて閉ざし、円筒の側面の水面に近い水中の位置から開口された窓を吸水口とし、吸水口の下部縁に回転羽根に接触しない程度に内側に向けて整流板を設けている請求項１から３のいずれかに記載の風呂垢取り器
【請求項５】
円筒状の筐体の一方の開口部を吸水口とし吸水口の下部を喫水線とし水面より高い斜め上部位置の円筒の側面に開口された排水口を持ち、排水口の上部縁に導水壁となる整流板と、排水口の下部縁に張り出された水流制御板を備えている吸水排水本体と、吸水排水本体に取り出し自在に挿入、装着するモーターとモーターに直結された湾曲をした板状の羽根を持つ回転羽根と、吸水排水本体に隣接し吸水口の開口面積より大きくとった浴槽への放出口を側面と底面に持つ濾過室と、濾過室が浮上し回転羽根の下部が水中に位置するように支える浮体と、取り出し自在に濾過室に収容されたフィルターと、で水面上で濾過をする構成とした風呂垢取り器
【発明の詳細な説明】
【技術分野】
【０００１】本発明は浴槽の水面に浮かべて水面に浮遊する垢などを除去するのに使用される風呂垢取り器に関するものである。
【背景技術】
【０００２】従来のこの種の風呂垢取り器としては水中にてスクリューや回転翼で水を流動させ水面に設けられた吸水口から水を吸い込み、水中に設けられたフィルターで吸い込みの際、あるいは吐き出しの際、垢などを捕捉する構成となっている（特許文献１、特許文献２、特許文献３、特許文献４）。
【特許文献１】特開２００６−１２２１０１号公報
【特許文献２】特開２００３−０４７５６９号公報
【特許文献３】特開２００１−０１７３３４号公報
【特許文献４】特開平１１−１５１１７４号公報
【発明の開示】
【発明が解決しようとする課題】
【０００３】垢は一旦は水面に浮き徐々に水中に沈下する。水面に漂っている間に捕捉できれば効率的であり水中の汚れも防いでくれる。従って入浴しながら使用し垢が沈下する前に捕捉したいが従来の風呂垢取り器では種種の問題が残存し、製品化に難があり市場に出回ることがなく店頭では見あたらない。すなわち従来の風呂垢取り器では【０００４】水中で羽根を回転させるため羽根にかかる負荷が大きく水中で十分に水を流動させるためにはモーターは小電力では働かず消費電力も大きくなる。【０００５】排水側が水中に位置するので吸水された水が周囲の水を押し分けて放出されようとするため水の抵抗が大きく吐き出し速度が高まらず、吸水側の吸い込み速度も低くなり小電力では働かない。【０００６】排水口の面積は吸水口の面積と同じか小さい構成である。吸水面と排水面の大きさが同じであると吸水口での吸い込み速度と排水口の吐き出し速度が同じになり、短時間で水面の垢を除去するために吸水口を広げても吐き出し速度が一定だと吸い込み速度が低下するので垢の除去能力はほとんど変わらない。従来の風呂垢取り器の構成では吸い込み速度を高めるために吐き出し速度を高めようとするには回転羽根の回転速度を高めるか羽根径や羽根面積を大きくしなくてはならず大きなモーター駆動力が必要で消費電力も大きくなる。【０００７】吐き出しの速度を高くするとフィルターで捕捉した垢などがフィルターを通過してしまうためフィルターの透過面の目を細かくするか厚手のフィルターを使用しなくてはならず、そのため抵抗が増え吸水側の吸い込み速度が低下する。従来の構成では吸水側の吸い込み速度の低下を防ぐためフィルターの透過度を高めなくてはならずそのため細かい垢は捕捉できない問題が考えられる。十分に細かい目をしたフィルターを使用し、吸い込み速度を高く維持するためにはさらに大きな駆動力が必要となる。【０００８】短時間で水面の垢の除去をするために吸い込み能力を上げ細かい垢も放出しないようにフィルターを通過する際の流速を適度に低下させるためにフィルター部の通水路を広くし対策としても吸い込み能力を上げるためには従来の風呂垢取り器の構成にあってはモーターの駆動力を高める必要があり本体の小型化にも逆行する問題がある。【０００９】吸い込み側にフィルターを設けることは、吸い込み速度が小さいとフィルター前に垢が集まってきてもそこで滞留し浮遊する垢が多くフィルターで垢を捕捉する事が容易でない。フィルター面を大きくしたりフィルターの目を細かくするとフィルターを通過する水の速度が低下し前述の問題が発生しいずれも回転羽根の面積を大きくするか回転速度を高めるかで大きな駆動力を必要とする。【００１０】従来はフィルターが水面に広がった状態、あるいは水中に位置している状態である。水面あるいは水中に位置すると空気が抜けず、水の表面張力でフィルターの目を塞ぐようになる。フィルターの一部を水面上に覗かせ空気が編み目を通りやすくするとフィルターの喫水部分が主に目づまりしフィルターの水中部分では垢が水面にあるため捕捉能力が低くなり、フィルターの有効面積も小さくなる。【００１１】従来の風呂垢取り器では水面近くの最小限の水を取り込むことで垢の除去能力を高めるがそのための最良の喫水位置にする浮体容積の設定が難しく、器体の浮く姿勢も正すようにしなくてはならず製品化に難がある。【００１２】風呂水全体の汚れを防ぐためにも垢の浮遊している入浴中に使用したいが従来の風呂垢取り器では浴槽への人の出入りにより水面に波が立ち器体への水の流入量で風呂垢取り器の重さが変わり水面の垢を効果的に捕捉する吸水口の喫水位置が変わってしまう。フィルターの汚れによる吸水量、排水量の変動や電池の消耗による駆動力の低下に伴う流入量の変化などでも器体の重さが変わり喫水の位置も一定しない。水路も狭く水面が水路の天井部に近づくと毛管現象による水の表面張力で水路を塞ぎ水の流入を妨げる問題がある。【００１３】構成が複雑で小型化が難しく製品コストも高くなり狭い通水路のため汚れの清掃などに難があり、保守や修理が大変である。【００１４】風呂垢取り器が自走する事は一長一短がある。吸水口に集まろうとした垢は風呂垢取り器が移動してしまって吸水口に集まろうとした垢を取り逃がしてしまう。吸い込み速度が高くなれば水面の表面張力で垢は急速に吸水口に集まるので自走することには拘らず吸い込み速度を高めることを考慮しなければならない。【００１５】従来、浮遊式の風呂垢取り器では乾電池を使用する方式が多いが前述までの理由から小電力では働かず３ボルト以上の電圧でモーターを働かせ、消費電力が大きいために単２型、単３型電池を使用している。そのため重量があり浮体の容積も大きくしなければならなく器体全体も大きくなり垢除去能力を維持しながらの小型化が出来ない。【００１６】そこで本発明は上記従来の課題に鑑みて回転羽根にかかる水の抵抗と水路に設置されたフィルターによる抵抗、浴槽への放出の際の抵抗を軽減し、構成を簡略化し、小電力で働き、高能率で小型、軽量で安全な機構の風呂垢取り器を提供することを目的とし簡単な吸水排水装置をもって水流で水面上のフィルター部を撹拌する際に垢を捕捉する風呂垢取り器を提供することにより上記課題を解決したものである。
【課題を解決するための手段】
【００１７】上記目的を達成するために、第１の発明は横に配置された円筒状の筐体の一方の開口部を吸水口とし吸水口の下部を喫水線とし水面より高い斜め上部位置の円筒の側面に開口された排水口を持つ吸水排水本体と、吸水排水本体に取り出し自在に挿入、装着したモーターとモーターに直結された湾曲をした板状の羽根を持つ回転羽根と、モーターを駆動する電源と、吸水排水本体に隣接し吸水排水本体の排水口を水の取り入れ口とし天井が吸水排水本体の排水口の上部縁に接し吸水口の開口面積より大きくとった浴槽への放出口を側面と底面に持つ濾過室と、濾過室が浮上し回転羽根の下部が水中に位置するように支える浮体と、取り出し自在に濾過室に収容されたフィルターと、で水面上で濾過をする構成としている。【００１８】回転羽根で掻き上げ濾過室に流し込んだ水は吸水排水本体の排水口すなわち濾過室の取り入れ口が水面より高い位置にあるため吸水口に逆流せず吸水口には絶えず新しい汚れた水が流入する。作動を止めたときも濾過室から吸水排水本体へ水が戻らないので捕捉した垢は吸水口から浴槽に戻らない。【００１９】水面、及び水面近くの水が湾曲した回転羽根で掻き上げられ飛ばされ吸水排水本体の円筒状の内壁と水面より高い位置に設けられた排水口の上部縁に接した濾過室の天井を導水壁として一定方向に整流され濾過室の水面に落とし込まれる構成であるため回転羽根にかかる負荷は絶えず羽根の一部であり水中に完全に埋没して回転する従来の構成のように絶えず全羽根面に水の抵抗がかからないので回転力が低下せず小電力で働く。【００２０】吸水排水本体の排水口から流出する水は濾過室の水面に高い位置から流れ落ちるので水中に吐き出すことと違って周囲の水を押し分ける際の水の抵抗もないため小動力で稼働させることができ、水の表面張力で水面は急速に流れ込み浮遊する垢は流れに乗って吸水口に流入する。【００２１】従来、水面に接して配置されるフィルター、水中に埋没して配置されるフィルターを本発明では水面上に位置し水面上で撹拌して濾過をする構成とした。濾過室を水上に浮かせ放出口が水面上に覗いているため濾過室の空気が抜け、流入する水は抵抗されることなく水面上でのフィルターの撹拌も促される。【００２２】水面、あるいは水中のフィルターは水に含まれる空気と水の表面張力でフィルターの目をを塞ぐ状態になり、しかもフィルターを通過する水は周囲の水を押し分けようとし吸い込み能力を低下させるので水面上に位置するフィルター部分で濾過をすることでフィルターの濾過部分全面の空気も効果的に抜け、水の表面張力でフィルターの目が塞がれることもなく、受ける水の抵抗も少なくなり、吸水口の吸い込み速度を妨げず小電力のモーターで稼働する高能率の風呂垢取り器ができる。【００２３】水面上で濾過することでフィルターによる抵抗が小さくなるため布状のフィルターを幾重かに設けても吸水能力を妨げず、幾重かになったフィルターは従来の水中に設けられた１枚のフィルターより目の大きなフィルターでも垢を捕捉でき、フィルター面も広く使える。【００２４】浴槽への放出口の面積は吸水口の吸水面積より大きくとることで浴槽には低速で放出されても吸水口の吸い込み速度は高く維持でき放出時の流速、及び排出圧が小さくなる。【００２５】従来の風呂垢取り器においては取り込んだ水を一気に水中に放出するため駆動するモーターも大電力が必要だったが本発明では濾過室に流れ込んだ水がしばらく水流で撹拌され濾過されている間に徐々に吸水口の面積より大きな側面の放出口から浴面上に流し込まれ底面からは自重で浴槽に戻るので放出の際に受ける抵抗も小さく、モーターも小電力で済み垢が流速や放出圧でフィルターを通過して浴槽に放出されてしまうこともない。【００２６】従来の風呂垢取り器では器体の水量が増えると重さで器体全体が沈下し吸水口の喫水も大きくなるが本発明では濾過室が沈下しても器体の重心の移動で吸水口側は浮き上がって一定の喫水を保ってくれる。【００２７】第２の発明は、フィルターは細かい目をした薄い化繊の布状のものをフィルターとして幾重かに折り曲げた状態で水面上に位置しているので一枚のフィルターを用いる従来の垢取り器より濾過能力が高まり、フィルター面も広くとることが出来ることでフィルターの目詰まりによる吸い込み能力の低下が少ない。【００２８】従来ではフィルターが１枚で水流に対して直角方向に備えられるか一方向の流れに対して機能する構成で水がフィルターを通過するのは１回だけで一気に垢を捕捉しようとするため抵抗が大きくなるが、本発明では幾重かに曲げられ収容された化繊のフィルターはフィルター面のそれぞれが密着しにくく水面上の幾重かのフィルター面に対して多方向から水流が接し何度となく通過しようとしフィルター面での撹拌を促し、撹拌しながら徐々にフィルターの全面で垢を捕捉でき、放出口では水流も弱まり低速で放出圧も低く浴槽に放出されるため濾過能力も高く小電力のモーターで稼働できる。【００２９】第３の発明は、濾過室は天井に垂直に垂れ下がって斜め方向を向く分流板を備え水の取り入れ口の下部縁に濾過室に張り出された水流制御板を設けているので吸水排水本体から送られた水は天井を導水壁とし分流板で水面上のフィルターに広く流れ落ち、水流制御板では水流の方向を変えられ逆流しようとし撹拌を促してくれる。水流制御板は濾過室内の水流で取り入れ口を塞ぐことも防いでくれる。【００３０】第４の発明は、吸水口は円筒状の筐体の一方の開口面を導水口を設けて閉ざし、円筒の側面の水面に近い水中の位置から開口された窓を吸水口とし、吸水口の下部縁に回転羽根に接触しない程度に内側に向けて整流板を設けているので吸水口を幅広く開口することで回転羽根の長さを大きくとることが出来、整流板は掻き上げた水で流れ込む水流を妨げず、排水口に効率よく水を送ってくれる。導水口は吸水口の喫水を一定にしてくれる。【００３１】第５の発明は、円筒状の筐体の一方の開口部を吸水口とし吸水口の下部を喫水線とし水面より高い斜め上部位置の円筒の側面に開口された排水口を持ち排水口の上部縁に導水壁となる整流板と、排水口の下部縁に張り出された水流制御板を備えている吸水排水本体と、吸水排水本体に取り出し自在に挿入、装着するモーターとモーターに直結された湾曲をした板状の羽根を持つ回転羽根と、吸水排水本体に隣接し吸水口の開口面積より大きくとった浴槽への放出口を側面と底面に持つ濾過室と、濾過室が浮上し回転羽根の下部が水中に位置するように支える浮体と、取り出し自在に濾過室に収容されたフィルターと、で水面上で濾過をする構成としている。吸水排水本体に整流板と水流制御板を備えているので濾過室の形状を選ばずデザインが自由である。
【発明の効果】
【００３２】第１発明の風呂垢取り器によれば流入した水が外部に流出するのはすべてフィルターを経由して放出口から出るのでモーターを止めたとき垢が浴槽に戻ってしまうことはない。【００３３】簡単にモーターと回転羽根を取り出すことが出来、水路が広く短いので清掃も楽である。【００３４】従来の風呂垢取り器では安全性や簡便さで乾電池を電源としているものがほとんどだがその構成上、大電力が必要になり３ボルト用のモーターを用い、単２型や単３型の乾電池を数本使用している。本発明によって単３型の電池で１．５ボルトで働く高能率の風呂垢取り器ができる。【００３５】本発明の風呂垢取り器は消費電力が小さいので単３型アルカリ乾電池１本で軽量なため浮体は小さく構成も簡単なので小型に出来、入浴中も邪魔にならず入浴時に浮いた垢が水面に浮遊している間に除去出来るので風呂水全体の汚れを防ぎ沈下した垢も浴槽への人の出入りの時に水中の垢が水面に浮いてきて捕捉できる。【００３６】消費電力が小さいので長時間の運転も気にならず、吸水口への吸い込み速度が高いため徐々に水中の垢も浮いてきて浴水全体の浄化もできる。【００３７】水中での濾過能力は低下するが小型軽量なため手に持って浴槽底部の毛髪などに吸水口を近づければ簡単に捕捉できる。回転羽根は駆動力が小さいため指が軽く触っても瞬時に回転が止まるので安全である。【００３８】本発明では吸水口の喫水を適正位置にする浮体容積は容易に設定でき構成が簡単で部品も少なく大幅なコストダウンが出来、モーターの脱着も容易なので交換も楽である。【００３９】小電力で作動するため単３型乾電池１本を電源として小型軽量で配置が自由に出来、器体のデザインが広がり器具的な印象を和らげる事が出来る。【００４０】第２発明の風呂垢取り器によればフィルターは簡便で細かい目をした化繊などの薄い布で済み、台所で使用する水切りネットなどの切れ端の一枚を３〜４重に軽く畳んで挿入する収容するだけでフィルター全体で細かい垢も捕捉でき浴槽への放出はない。【００４１】器体は小型ながらフィルター面が大きいので目詰まりによる性能の低下がなくフィルターの交換時期が長くなり洗って再使用もできるが安価で特別な形状を必要としないので随時新しいものが使用できる。フィルター枠も不要になり大幅なコストダウンが出来る。【００４２】第３発明の風呂垢取り器によれば濾過室に流れ込む水流が前後左右に広がり水面上での濾過面が広くなり、水流制御板があるのでフィルターで吸水排水本体の排水口が塞がらない。フィルターは水流制御板の端と濾過室の側面の間に挟まれて水面より高い位置に固定できフィルターを配置するための濾過室の機構も不要で濾過室の内部形状が簡略化できる。【００４３】第４発明の風呂垢取り器によれば吸い込み面が広がり垢の除去が更に短時間で済む。【００４４】第５発明の風呂垢取り器によれば従来の風呂垢取り器では乾電池の重量が大きく浮遊玩具では浮力が足りず構成の複雑さ、形状、保守にも難があって組み込まれる浮遊玩具に制約を受けたが本発明では吸水排水本体の排水口に導水壁となる整流板、水流制御板を一体的に設けているので濾過室の形状を選ばず、既存の浮遊玩具の内部の空間部分に組み込み、さらに空間部分をフィルターを収容する濾過室とし排水される水流で濾過室内を広く撹拌し濾過をし玩具の側面及び底面に数多くあけられた小さな穴を浴槽への放出口とする事で垢取り機能を持たすことが出来る等、小型軽量で構成が簡単なため組み込む浮遊玩具の選択も広がる。
【発明を実施するための最良の形態】
【００４５】以下、実施の形態について図面を参照しつつ詳細に説明する。吸水排水本体３は円筒状で横に配置され風呂湯を吸い込むための吸水口１は円筒の片側の開口部とし上部は庇状に外側に７ミリ程突き出している。水面より高い位置になる斜め上部の筒の側面に回転羽根５の長さより３ミリ広い排水口２が開口されている。排水口２の上部に隣室の濾過室７の天井が接する。排水口２の下側縁は回転する羽根の外径に接しない程度に筒の内部に向かって折り曲げられている。【００４６】吸水排水本体３の円筒の内径は工作用１．５ボルトのモーター４が収容されているモーターケース６が挿入できる大きさで取り出し自在に装着される。円筒状のモーターケース６には湾曲した羽根板を持つ回転羽根５に直結したモーター４が挿入取り出し自在に装着される。モーターケース６あるいはモーター４は防水構造とすると良い。【００４７】回転羽根５の長さは羽根の径と同じ程度に作られている。回転羽根５の外径は吸水排水本体３の内径より直径で５ミリほど小さな径である。回転羽根５はモーター４の軸に差し込まれて直結されるが抜き差しは自由に出来る。【００４８】回転羽根５は羽根面の凹部で水を汲み上げるような回転方向で排水口２が回転方向の斜め上後方になるように乾電池１２の電極をモーター４につなぐ。【００４９】回転羽根５によって掻き上げられた水は円筒の内壁と排水口２に繋がる濾過室７の天井に沿って濾過室７の水面に流れ落ちる。濾過室７の天井には分流板９を取り付け、吸水排水本体３の排水口２の下部縁に濾過室７に張り出した水流制御板１０を取り付ける。【００５０】濾過室７は吸水排水本体３より大きな容積を持ち天井部を備え濾過室７の底部の放出面に小さな放出口１１ｄが多数設けられ側面にはフィルター８の挿入、取り出し口として網目状の小さな放出口を持つ蓋１１ａが取り付けられる。濾過室７の底部の数多く開けられた放出口１１ｄを持つ面を蓋構造としフィルター８の挿入取り出し口としても良い。【００５１】濾過室７の内部には台所の水切りネットなどに使用される細かい目をした薄い一枚の化繊の布をフィルター８として濾過室７の幅より大きめに３〜４枚になるように軽く畳んで放出口１１ａ，１１ｂ，１１ｃ、１１ｄを塞ぐように挿入する。【００５２】電池ケース１３が吸水排水本体３の下部に配置され電池ケース１３内には単３型アルカリ乾電池１２、１本が収容される。スイッチ１４は電池ケース１３と一体にし防水とすると良い。【００５３】吸水排水本体３、濾過室７、電池ケース１３は浮体１５で支えられている。【００５４】浮体１５は濾過室７を浮上させ回転羽根５の下部の羽根面が水中に没する程度で風呂垢取り器全体の浮力を持たす容積となっている。本発明では浮体１５の断面積を容易に変え浮力を調整できる。【００５５】浮体１５の断面積を一定としたとき更に喫水の調整が必要な場合は浮体１５を吸水排水本体３の側面と、吸水排水本体３と濾過室７の下部に配置するが浮体１５を吸水口側とその反対側から二分し、それらの二分した浮体１５の長さをそれぞれ調整することで浮体１５の容積を変え、吸水口２の喫水を定め、風呂垢取り器の浮上する姿勢を正すことが容易に出来る。構成を収容する外殻を設け二分された浮体を前後から挿入し浮体間は浸水口１９を設けておくと浮力の調整に良い。図３の図面参照。【００５６】電池１２は吸水排水本体３の下部に配置しているが吸水排水本体３と濾過室７が隣接していれば配置は自由で、電池１２を給水排水本体３の他の一方に隣接して並べ、一枚の塩ビ板等で吸水排水本体３と濾過室７を設け電池１２、浮体１５を一体的に収容する外殻が簡単に出来る構成としても良い。図４の図面参照。【００５７】吸水排水本体３に一体の庇状の突き出しの代わりに回転羽根５に指などが触れないように、庇状に吸水口１の外部に突き出し、差し込まれる長さは排水口２の側面縁に位置する長さの蓋１６とし排水口２の側面縁に位置する蓋１６の上部の一部を除き格子状に開口しても良い。蓋の上部の開口されない壁は排水口２の側面縁に接しているため掻き上げた水の導水壁１９となる。図７図８の図面を参照。【００５８】上述した本発明である風呂垢取り器の作動の状態を説明すると、回転羽根５の下部を喫水線としモーター４によって回転する回転羽根５で水面、及び水面近くを掻き上げ、掻き上げられた水は水流となって円筒の内壁に沿い水面より高い位置の排水口２から隣室の濾過室７の天井に沿い、分流板９によって前後左右に流れ込んだ水は流れ落ちる際に水面上のフィルター８で濾過され、更に勢いのある水流は濾過室７の後方側面から底部、前側面から水流制御板１０の下壁に沿って流れようとしフィルターで濾過される。この濾過室７は水面上に浮上し、水面上にある幾重かに軽く畳まれた布状のフィルター８によって吸水排水本体３から送られ流れ落ちる水流がフィルター面を通り抜けようとするとき複雑な水流となって撹拌されながら垢が捕捉される。濾過された水は広く設けられた側面と底部を放出面とし、沢山の小穴を持つ側面の放出口１１ａ、１１ｂ、１１ｃと底部の放出口１１ｄから浴槽に戻る。【００５９】円簡状の吸水口１のため浴槽への人の出入りの際水面が波立って風呂垢取り器が左右に揺れても円筒状の吸水口１の喫水は変わらず、フィルターの詰まりで濾過室７側の水量が増え沈下してきても吸水排水本体３の反対側が浮いてくるため円筒状の吸水口１の喫水は変わらないので安定した作動をする。【００６０】毛髪は勢いのある水の流れに乗って濾過室７に送られるので回転羽根５やモーター４の軸に絡む事が少なく、絡みついてもモーター４と回転羽根５の脱着が容易なので簡単に取り除くことが出来、吸水排水本体３の構造が簡単で水路が短く広いため水路の清掃は楽で保守も容易となる。【００６１】また本発明の風呂垢取り器では水面上にフィルター８があり吸水排水本体から送られた水が流れ落ちる際に、また水面で水が流動している際に水面上で濾過をするのでフィルター８を空気が抜け、濾過室７の浴槽への放出口１１ａ、１１ｂ、１１ｃも水面上に覗いているので濾過室７の空気も抜け、従来のすべて水中で動作させる構成より抵抗が小さく吸水側の吸い込み速度も高く濾過能力も高い。【００６２】放出口１１ａ、１１ｂ、１１ｃ、１１ｄが吸水口１より大きいため高い吸い込み速度のまま放出圧は低く放出速度も低く捕捉した垢は浴槽に放出しない。【００６３】濾過され放出される水は底面から自重で浴槽に、同時に側面から浴槽の水面に流れこむのですべて水中で強制的に放出することより抵抗が少なく吸水口１の吸い込み速度を妨げない。モーター４も小電力で済む。【００６４】水流制御板１０は流れ込んだ水流の方向を変え吸水排水本体３の排水口２から流入する水の流れを妨げず、吸水口１への逆流も防いでくれ、フィルター８の挿入で排水口を塞がず、フィルター８を水面上に固定する役目もある。【００６５】浴槽の壁面に器体が接した場合でも吸い込み速度が高いので浴槽の壁面では壁面を導水壁とし急速に浴槽面全体から集まろうとするので壁面で吸水口１が完全に遮られないように吸水口１の上部を庇状に突き出した形状にしている。【００６６】本発明では放出口１１ａ、１１ｂ、１１ｃ、１１ｄからの放出速度が低いため自走する速度は低速で回転する回転羽根５と放出口を持つ濾過室７が中心部から位置がずれるため旋回自走する。簡単な舵を底部につけることも出来、旋回する角度は調整できる。【００６７】本発明の風呂垢取り器では回転羽根５で水面と水面近くの水を掻き上げ、勢いのある水流のまま濾過室７の水面に流れ落とし、水面上で濾過をし、濾過をした水を広い放出口で浴槽の水面へ流し、自重で放出させることでモーター４は小電力ですみ、高い濾過能力を持つ事が出来る。【００６８】内径２３ミリの吸水排水本体３で全体サイズは縦８０ミリ横７０ミリ高さ４５ミリで単３型アルカリ乾電池１．５ボルト１本（不完全な防水状態のまま）で１８ミリ径２０ミリ長の湾曲した回転羽根５を工作用モーター（無負荷回転数８３４０回転）に直結駆動させ、４時間の連続作動を確認している。４時間を超え、モーターの回転力が落ち、吸い込み速度が低下し始め４時間３０分で水中での回転羽根の回転は停止。５６センチ×１００センチの浴槽面に垢を浴面全体に流した状態で作動させ約１５分で全体の垢をほぼ収集、濾過でき連続２時間ほどの使用で浴水の透明度は高まり、その間フィルター８の目詰まりによる性能の低下はない。本発明の実施の形態について説明してきたが本発明の範囲はこれに限定されるものではない。
【実施例】
【００６９】図４の実施例は電池を吸水排本体の側面に配置したものである。【００７０】図５の実施例は請求項４の吸水口を円筒状の側面に設けたものであるがその場合の各構成部の配置は図６に示す。【００７１】図７の実施例は請求項５の実施形態を示す吸水排水本体と吸水排水装置で、整流板に分流板を取り付け吸水口に格子状に開口された蓋を取り付けたものである。
【図面の簡単な説明】
【００７２】
【図１】は本発明に係わる風呂垢取り器の最良の形態を示すＡ−Ａ縦断面構成図である。
【図２】は同平面図である。
【図３】は同底面図である。
【図４】は電池を側面に配置した縦断面構成図である。
【図５】は吸水口を吸水排水本体の側面に設けた実施形態を示す正面図である。
【図６】は同縦断面構成図である。
【図７】は請求項５の実施形態を示す吸水排水本体と吸水排水装置の斜視図である。
【図８】は同正面図である。
【符号の説明】
【００７３】１吸水口
２排水口
３吸水排水本体
４モーター
５回転羽根
６モーターケース
７濾過室
８フィルター
９分流板
１０水流制御板
１１ａ側面放出口兼フィルター挿入取り出し口蓋
１１ｂ１１ｃ側面放出口
１１ｄ底面放出口
１２電池
１３電池ケース
１４スイッチ
１５浮体
１６吸水口蓋
１７導水口
１８ａ１８ｂ整流板
１９導水板
２０浸水口
【図１】
2008086730.tif 000003
【図２】
2008086730.tif 000004
【図３】
2008086730.tif 000005
【図４】
2008086730.tif 000006
【図５】
2008086730.tif 000007
【図６】
2008086730.tif 000008
【図７】
2008086730.tif 000009
【図８】
2008086730.tif 000010